(57)【要約】【課題】作業負担を増大させることなくワイヤロープの状況を事前に把握できるようにする。【解決手段】ロープテスタは，磁力を発生する磁化器および磁化器によって発生した磁力によって磁化されるワイヤロープ１から生じる磁気変化を検出する検出器を含む磁化検出器10，上記ワイヤロープ１の移動方向に磁化検出器10との間に所定間隔をあけて設けられ，ワイヤロープ１を撮影するデジタルカメラ21，ならびに磁化検出器10およびデジタルカメラ21に接続され，磁化検出器10によって検出される磁気変化に基づいてワイヤロープ１の欠陥箇所を検出し，欠陥箇所が上記デジタルカメラ21の設置箇所に至るタイミングにデジタルカメラ21を駆動する駆動信号を出力する制御器30を備えている。【選択図】図１
2019105507.tif 000002
【特許請求の範囲】
【請求項１】
所定速度で移動するワイヤロープを検査するためのロープテスタであって，
磁力を発生する磁化器，および磁化器によって発生した磁力によって磁化される上記ワイヤロープから生じる磁気変化を検出する検出器を含む磁化検出器，
上記ワイヤロープの移動方向に上記磁化検出器との間に所定間隔をあけて設けられ，上記ワイヤロープを撮影する撮影装置，ならびに
上記磁化検出器および上記撮影装置に接続され，上記磁化検出器によって検出される磁気変化に基づいて上記ワイヤロープの欠陥箇所を検出し，上記欠陥箇所が上記撮影装置の設置箇所に至るタイミングに上記撮影装置を駆動する駆動信号を出力する制御器を備えている，
ロープテスタ。
【請求項２】
上記制御器が，上記ワイヤロープの所定の移動速度，および上記磁化検出器と上記撮像装置の間の所定間隔を表す距離の入力を受け付ける入力部，ならびに
上記入力部から受け付けられる移動速度と所定間隔を表す距離とを用いて，上記駆動信号を出力すべきタイミングを規定する遅延時間を算出する遅延時間算出手段を備えている，
請求項１に記載のロープテスタ。
【請求項３】
上記制御器が，
上記磁化検出器から出力される出力信号を所定時間間隔ごとに時系列に記憶手段に記録する第１の記録手段，および
上記撮影装置から出力される画像データを撮影順番を含めて記憶手段に記録する第２の記録手段を備えている，
請求項１または２に記載のロープテスタ。
【請求項４】
請求項３に記載のロープテスタによって記録される上記磁化検出器からの出力信号および上記撮影装置からの画像データが与えられるワイヤロープ解析装置であって，
横軸をワイヤロープ位置，縦軸を磁化検出器から出力される出力信号とするグラフを表示するグラフ表示手段，ならびに
上記グラフ表示手段によって表示される出力信号を表すグラフのうち上記欠陥箇所を表すグラフに対応づけて，上記画像データによって表されるワイヤロープ画像を表示するワイヤロープ画像表示手段を備えている，
ワイヤロープ解析装置。
【請求項５】
請求項３に記載のロープテスタによって記録される上記磁化検出器からの出力信号および上記撮影装置からの画像データが与えられるワイヤロープ解析装置を制御するプログラムであって，
横軸をワイヤロープ位置，縦軸を磁化検出器から出力される出力信号とするグラフを表示装置に表示し，
表示される出力信号を表すグラフのうち上記欠陥箇所を表すグラフに対応づけて，上記画像データによって表されるワイヤロープ画像を上記表示装置に表示するように，上記ワイヤロープ解析装置を制御する，
ワイヤロープ解析装置を制御するプログラム。
【発明の詳細な説明】
【技術分野】
【０００１】
この発明はワイヤロープを検査するロープテスタに関する。またこの発明はワイヤロープ解析装置およびその制御プログラムに関する。
【背景技術】
【０００２】
ワイヤロープは定期的に検査しなければならない。たとえばエレベータ用ワイヤロープの検査では，エレベータが設置されているビル等に検査員が派遣され，現場において検査員によってエレベータ用ワイヤロープが検査される。
【０００３】
特許文献１は，エレベータ用ワイヤロープを撮像した映像信号を用いて，素線に所定の大きさまたは所定長さの摩耗足が所定数あるか否かを検出する検査装置を開示する。
【先行技術文献】
【特許文献】
【０００４】
【特許文献１】特開２００９−１２９０３号公報
【発明の概要】
【発明が解決しようとする課題】
【０００５】
映像信号を用いて摩耗足が発生している箇所を事前に特定することができれば，その後の作業員による検査がスムーズになる。しかしながら，特許文献１では，画像処理（パターン認識）によって摩耗足があるか否かが検出されるので，ワイヤロープが汚れていると映像が不明瞭となり，画像処理に基づく摩耗足の検出が難しくなる可能性が大きい。特許文献１は映像を明瞭にするためにワイヤロープを洗浄することも記載するが，これではワイヤロープの撮像するたびに，撮像に先立ってワイヤロープを洗浄し，さらにそれを終えた後にグリース等を塗布することが必要になるので，作業負担が増大してしまう。
【０００６】
この発明は，作業負担を増大させることなく，ワイヤロープの状況を事前に把握できるようにすることを目的とする。
【課題を解決するための手段】
【０００７】
この発明によるロープテスタは，所定速度で移動するワイヤロープを検査するためのものであって，磁力を発生する磁化器，および磁化器によって発生した磁力によって磁化される上記ワイヤロープから生じる磁気変化を検出する検出器を含む磁化検出器，上記ワイヤロープの移動方向に上記磁化検出器との間に所定間隔をあけて設けられ，上記ワイヤロープを撮影する撮影装置，ならびに上記磁化検出器および上記撮影装置に接続され，上記磁化検出器によって検出される磁気変化に基づいて上記ワイヤロープの欠陥箇所を検出し，上記欠陥箇所が上記撮影装置の設置箇所に至るタイミングに上記撮影装置を駆動する駆動信号を出力する制御器を備えている。
【０００８】
磁化検出器はたとえば磁気変化に基づく電圧値を表す出力信号を出力することができ，欠陥箇所の出力信号（電圧値）は欠陥のない箇所の出力信号（電圧値）よりも大きな値となる。制御器は典型的には所定の閾値を超える出力信号を判定することによって欠陥箇所を検出する。
【０００９】
この発明によると，磁化検出器によって検出される磁気変化に基づいて所定速度で移動するワイヤロープの欠陥箇所が検出され，その欠陥箇所が撮影装置によって撮影される。撮影装置はワイヤロープの移動方向に磁化検出器との間に所定間隔をあけて設けられているので，ワイヤロープの欠陥箇所は，はじめに磁化検出器を通り，所定時間経過後に撮影装置に至る。制御器によって，上記欠陥箇所が上記撮影装置の設置箇所に至るタイミングで上記撮影装置が駆動されるので，上記磁化検出器によって検出される欠陥箇所を撮影装置によって正しく撮影することができる。磁化検出器によって検出される欠陥箇所をピンポイントに撮影した画像が取得されるから，ワイヤロープの状況を正しくかつ詳しく把握することができる。
【００１０】
一実施態様では，上記制御器が，上記ワイヤロープの所定の移動速度，および上記磁化検出器と上記撮像装置の間の所定間隔を表す距離の入力を受け付ける入力部，ならびに上記入力部から受け付けられる移動速度と所定間隔を表す距離とを用いて，上記駆動信号を出力すべきタイミングを規定する遅延時間を算出する遅延時間算出手段を備えている。上記磁化検出器による欠陥検出のタイミングから算出される遅延時間を経過したタイミングに，制御装置から撮像装置の駆動信号が出力される。入力されるワイヤロープの移動速度および磁化検出器と撮像装置の間の所定間隔を表す距離に基づいて遅延時間が算出されるので，ワイヤロープの移動速度および磁化検出器と撮像装置の間の所定間隔を表す距離が異なっても（たとえばエレベータ用ワイヤロープの移動速度は，エレベータごとに異なる），欠陥箇所をピンポイントに正しく撮影するための遅延時間を算出することができる。
【００１１】
もっとも，磁化検出器と撮影装置の間の距離が固定距離であれば，ワイヤロープの移動速度のみを入力部に入力すれば十分であるのは言うまでもない。磁化検出器と撮影装置の間の固定距離を表すデータは，たとえばあらかじめ記憶装置に記憶させておけばよい。
【００１２】
好ましくは，上記制御器が，上記磁化検出器から出力される出力信号を所定時間間隔ごとに時系列に記憶手段に記録する第１の記録手段，および上記撮影装置から出力される画像データを撮影順番を含めて記憶手段に記録する第２の記録手段を備えている。画像データの撮影順番の記録は，記憶手段における画像データの記録順番に基づくものであってもよいし，ファイル名，ヘッダ情報等に順番を表すデータを付随させることに基づくものであってもよい。第１の記録手段によって記憶手段に記録される磁化検出器から出力される出力信号および第２の記録手段によって記憶手段に記録される画像データの両方を，ワイヤロープの状況把握に利用することができる。
【００１３】
この発明は，上記ロープテスタによって記録される上記磁化検出器からの出力信号および上記撮影装置からの画像データが与えられるワイヤロープ解析装置も提供する。この発明によるワイヤロープ解析装置は，横軸をワイヤロープ位置，縦軸を磁化検出器から出力される出力信号とするグラフを表示するグラフ表示手段，ならびに上記グラフ表示手段によって表示される出力信号を表すグラフのうち上記欠陥箇所を表すグラフに対応づけて，上記画像データによって表されるワイヤロープ画像を表示するワイヤロープ画像表示手段を備えている。
【００１４】
磁化検出器から出力される出力信号は所定時間間隔ごとに時系列に記憶手段に記憶され，またワイヤロープは所定速度で移動するので，出力信号のそれぞれをグラフの横軸（ワイヤロープ位置）に対応づけることができる。
【００１５】
記憶手段に記録される画像データは欠陥箇所をピンポイントに撮影することによって作成されるものであり，また上記撮影装置から出力される画像データは撮影順番を含めて記憶手段に記録されるので，出力信号のグラフに含まれる欠陥箇所を表すグラフのそれぞれに画像データを正しく対応づけることができる（欠陥箇所を表すグラフのそれぞれについて，検査開始箇所から検査終了箇所に向けて，古い順番に画像データを対応づければよい）。出力信号のグラフからワイヤロープにおける欠陥箇所および程度（出力信号の大きさ）が把握されるのみならず，その外観も画像確認することができる。磁化検出器のみを用いた場合には把握しにくいたとえば断線間隔，断線本数といった，より具体的なワイヤロープの状況を詳細に確認することができる。
【００１６】
この発明は，上述したワイヤロープ解析装置を制御するプログラムも提供する。
【図面の簡単な説明】
【００１７】
【図１】ロープテスタ・システムの全体構成を示す斜視図である。
【図２】磁化検出器および画像撮影ユニットを側方から概略的に示すブロック図である。
【図３】ロープテスタ・システムの動作の流れを示すフローチャートである。
【図４】ロープテスタ・システムにおいて画面表示される検査結果画面を示す。
【実施例】
【００１８】
図１はロープテスタの全体構成を示す斜視図である。図２はロープテスタを構成する，以下に説明する磁化検出器および画像撮影ユニットを，側方から概略的に示すブロック図である。図２においては磁化検出器の内部構造が示されている。
【００１９】
ロープテスタは，磁化検出器10，画像撮影ユニット20，制御器30，およびコンピュータ装置40を備えている。
【００２０】
磁化検出器10は，検査対象であるエレベータ用ワイヤロープ１の一部を磁化してエレベータ用ワイヤロープ１の一部を含む磁気回路を形成するとともに，エレベータ用ワイヤロープ１に欠陥が存在することによって生じる磁気抵抗の変化を，磁束または磁束の変化を用いて観察するものである。
【００２１】
図１を参照して，磁化検出器10は，横断面が概略半円形の，一方向にのびるワイヤロープ通過凹部11を備えている。ワイヤロープ通過凹部11内に断面円形のワイヤロープ１が通される。磁化検出器10（ワイヤロープ通過凹部11）の長手方向の長さは，たとえば 160mm程度である。
【００２２】
図２を参照して，ワイヤロープ通過凹部11の下方に，直方体状のヨーク12と，上記ヨーク12の上面の両側部に固定された１対の磁石13，14と，上記１対の磁石13，14の間に配置され，磁石13，14のそれぞれと間隔をあけて上記ヨーク12の上面に固定されたコイルベース15と，上記コイルベース15の上面に固定された検出コイル16が設けられている。検出コイル16はワイヤロープ１の外周面の大部分を検査するために，ワイヤロープ通過凹部11に沿うようにＵ字形に湾曲している。磁石13，14，ヨーク12，および磁石13，14によって挟まれる範囲のワイヤロープ１の一部によって，磁気回路が構成される。
【００２３】
ワイヤロープ１に損傷（欠損）があると，損傷箇所においてワイヤロープ１の断面積が減少し，磁気回路における磁気抵抗が増加する。磁気抵抗の増加は上述した磁気回路における磁束を減少させる。磁気回路を流れる磁束は検出コイル16と鎖交するので，磁束の変化にしたがって検出コイル16には起電力が生じる。検出コイル16から出力される電圧信号に基づいて，ワイヤロープ１に発生している損傷を定量的に評価することができる。
【００２４】
また，ワイヤロープ１に鉄粉の堆積などの異物が付着していると，その箇所においても磁束が変化し，検出コイル16に起電力が生じる。鉄粉が堆積している箇所は断面積が増えるので，上述した損傷がワイヤロープ１に存在する場合に生じる起電力と極性の異なる起電力が検出コイル16に生じることになる。検出コイル16から出力される電圧信号は，ワイヤロープ１に付着している異物検出にも用いることができる。
【００２５】
以下の説明において，ワイヤロープ１の損傷（欠損）およびワイヤロープ１への異物付着を，包括的に「欠陥」と呼ぶ。
【００２６】
画像撮影ユニット20は，台座23上に固定されたデジタルカメラ21および照明源22を備えている。デジタルカメラ21および照明源22はいずれもワイヤロープ１の方向を向いており，照明源22によって明るくされたワイヤロープ１の表面をデジタルカメラ21によって撮影することができる。
【００２７】
磁化検出器10と画像撮影ユニット20との間にはアタッチメント２が設けられており，このアタッチメント２を介して磁化検出器10と画像撮影ユニット20を一体化することができる。
【００２８】
上述した磁化検出器10，デジタルカメラ21および照明源22と，以下に説明するコンピュータ装置40とが，信号線によって制御器30に接続されている。
【００２９】
制御器30は，ＣＰＵ（Central Processing Unit ），メモリ，ハードディスク，通信インターフェース（いずれも図示略）等を備えるもので，磁化検出器10（検出コイル16）から出力される電圧信号の受信および記録，上記デジタルカメラ21への電源供給および駆動（撮影指示），デジタルカメラ21から出力される画像データの受信および記録，照明源22への電源供給，コンピュータ装置40へのデータ送信を行う。
【００３０】
制御器30が備えるメモリに，磁化検出器10（検出コイル16）から出力される電圧信号，デジタルカメラ21から送信される画像データ，オペレータによって設定される設定データ（測定日時，ワイヤロープ１の移動速度（ロープスピード），ワイヤロープ１の直径，ゲイン設定値，欠陥判定のための閾値（判定レベル），検出コイル16とデジタルカメラ21の間の距離など）が記録される。設定データの入力に制御器30が備える入力装置（入力ボタン）31が用いられる。さらに，制御器30は着脱自体のメモリカードを装着するためのインターフェース（図示略）も備えており，制御器30のメモリに記憶されたデータをメモリカードに記録（転送）することもできる。
【００３１】
さらに，以下に詳細に説明するように，制御器30は，検出コイル16から出力される電圧信号を用いて欠陥の存在が判定された（電圧信号が閾値を超えた）ときに，警告を出力（ランプ点灯，ブザー鳴動など）することもできる。
【００３２】
コンピュータ装置40はＣＰＵ（Central Processing Unit ），メモリ，ハードディスク，通信装置，入力装置，表示装置等を備えるもので，制御器30から信号線を通じて送信されるデータ，または制御器30においてメモリカードに記録されるデータを用いてワイヤロープ１の解析を行うプログラムがインストールされている。コンピュータ装置40における解析プログラムによる処理（表示画面）の詳細は後述する。
【００３３】
図３は，制御器30，磁化検出器10（検出コイル16），およびデジタルカメラ21の動作の流れを示すフローチャートである。
【００３４】
ワイヤロープ１は一般に複数本のストランドを撚り合わせてつくられており，その表面にらせん状の凹凸が存在するので，構造上，その断面積が長手方向に一定ではない。このため磁化検出器10（検出コイル16）からは常に出力信号（電圧信号）が出力される。磁化検出器10からの出力信号は，上述したように信号線を通じて制御器30に与えられる（ステップ58，51）。
【００３５】
制御器30において受信された磁化検出器10からの出力信号は，制御器30において所定時間間隔ごとにたとえば１ミリ秒ごとにサンプリングされ，サンプリング値（電圧値を表すデジタルデータ）がメモリに記録される（ステップ52）。一般には磁化検出器10からの出力信号は，制御器30においてあらかじめ設定されるゲインを用いて増幅され，増幅後の出力信号がサンプリングされる。
【００３６】
制御器30は，メモリに記録された電圧値（サンプリング値）のそれぞれを，あらかじめ定められる閾値と比較する（ステップ53）。閾値以下であれば，制御器30は特段の処理を実行しない（ステップ53でNO）。
【００３７】
ワイヤロープ１に生じている損傷の程度が大きければ大きいほど，磁化検出器10からは大きな出力信号（電圧値）が出力される。また，ワイヤロープ１に損傷は発生していないものの，ワイヤロープ１の表面にゴミが付着している，たとえばワイヤロープ１やワイヤロープ１がかけられるシーブからの鉄粉がワイヤロープ１の表面に堆積していると，この場合にも上述した磁気回路における磁気抵抗が変動し，磁化検出器10から出力される出力信号は変動する。閾値を超える電圧値が検知された場合，制御器30は，その検知タイミングから所定の遅延時間（以下に詳述する）をカウントし，遅延時間を経過したタイミングに，デジタルカメラ21に駆動信号（撮影指示信号）を送信する（ステップ53でYES ，ステップ54，55）。
【００３８】
デジタルカメラ21は制御器30からの撮影指示を常時待機しており（ステップ59，ステップ60でNO），制御器30からの撮影指示信号を受信したタイミングで撮影を実行する（ステップ60でYES ，ステップ61）。撮影によって取得されたワイヤロープ１の一部分を表す画像データは，信号線を通じてデジタルカメラ21から制御器30に送信される（ステップ62）。
【００３９】
制御器30は，デジタルカメラ21から送信された画像データを受信すると，受信した画像データをメモリに記録（保存）する（ステップ56，57）。画像データは任意のファイル形式（jpeg，gif，rawなど）でメモリに記録することができる。
【００４０】
メモリに記憶される画像ファイルのそれぞれには，撮影順番を特定するデータを付随させることができる。たとえば，制御器30の計時機能を利用してメモリに記録される画像ファイルのファイル名に撮影時刻を含ませることで撮影順番を特定するデータを付随してもよいし，連続する番号をメモリに記録される画像ファイルのファイル名に含ませてもよい。画像ファイルのファイル名に代えて画像ファイルのヘッダ情報中に撮影順番を特定するデータを記録してもよい。
【００４１】
もっとも，メモリに記録される画像ファイルの記録順番を用いることでも，メモリに記憶される画像ファイルの撮影順番を特定することは可能である。たとえば先入れ先出し（FIFO）構造を保持するように画像ファイルのそれぞれをメモリに記録すればよい。
【００４２】
上述した遅延時間について図２を参照して説明する。
【００４３】
図２に示すように，ロープテスタでは，ワイヤロープ１が移動する方向を基準にして，ワイヤロープ１の移動方向の先方に画像撮影ユニット20が設けられ，後方に磁化検出器10が設けられている。固定的に設置されたロープテスタ・システムを用いて移動するワイヤロープ１が連続的に検査されるので，ワイヤロープ１の欠陥箇所は，はじめに検出コイル16を通過し，次にデジタルカメラ21の設置箇所を通過することになる。
【００４４】
ワイヤロープ１の移動速度をｙ（m／min），検出コイル16とデジタルカメラ21の間の距離をｘ（mm）とする。ワイヤロープ１の欠陥箇所が移動する速度はワイヤロープ１の移動速度と等しいので，欠陥箇所の移動速度は，単位をmm／ｓとすれば次式によって表される。
【００４５】
ｙ（m／min）＝1000/60・ｙ（mm／s）・・・式１
【００４６】
ワイヤロープ１の欠陥箇所が検出コイル16を通過してｔ（s）後にデジタルカメラ21の直上に移動するとすれば，次式が成り立つ。
【００４７】
1000／60・ｙ・ｔ＝ｘ
ｔ＝（ｘ／ｙ）・（60／1000）・・・式２
【００４８】
たとえば，検出コイル16とデジタルカメラ21の間の距離ｘ＝100mm，ワイヤロープ１の移動速度ｙ＝16（m／min）とすると，以下の値が算出される。
【００４９】
ｔ＝（100／16）・（60／1000）＝0.375（s）
【００５０】
すなわち，ワイヤロープ１の欠陥箇所が検出コイル16を通った後， 0.375（ｓ）後に，その欠陥箇所はデジタルカメラ21が設置されている位置に到達する。制御器30は，設定されるワイヤロープ１の移動速度ｙおよび検出コイル16とデジタルカメラ21の間の距離ｘを用いて上述した遅延時間を算出する（あらかじめ算出してメモリに記録する）。算出された遅延時間がデジタルカメラ21に駆動信号を送信するタイミング制御に用いられる。たとえば制御器30が備えるＣＰＵのクロック信号を用いることで，制御器30は，欠陥検出（閾値を超える出力信号の検出）から所定の遅延時間の経過後にデジタルカメラ21に駆動信号を出力することができる。
【００５１】
図４は，コンピュータ装置40の表示装置の画面を示すもので，コンピュータ装置40にインストールされている解析プログラムによって表示される画面例を示している。
【００５２】
制御器30のメモリに記録された所定時間ごとの磁化検出器10（検出コイル16）からの出力信号（電圧値），およびデジタルカメラ21によって撮影されたワイヤロープ１を表す画像データを含む画像ファイルは，信号線を通じてまたは可搬のメモリカードを介して，コンピュータ装置40に与えられる。ワイヤロープ１を検査したときの測定日時，ワイヤロープ１の移動速度（ロープスピード），ロープ径，ゲイン設定値，および判定レベル（閾値）を表すデータも，信号線を通じてまたは可搬のメモリカードを介して，コンピュータ装置40に与えられる。
【００５３】
コンピュータ装置40において解析プログラムが起動されると，図４に示す解析ウインドウ70がコンピュータ装置40の表示装置の表示画面上に表示される。
【００５４】
解析ウインドウ70の右側に，測定日時表示欄74ａ，ロープスピード表示欄74ｂ，ロープ径表示欄74ｃ，ゲイン設定値表示欄74ｄ，および判定レベル表示欄74ｅが設けられている。初期状態においては，これらの表示欄74ａ〜74ｅには制御器30に設定された設定値が表示される。
【００５５】
解析ウインドウ70の左側には，横軸をワイヤロープ１の位置（m），縦軸を電圧値（V）とする２つの出力信号グラフ表示欄71，72が上下二段に表示される。
【００５６】
出力信号グラフ表示欄71，72には，上述した磁化検出器10（検出コイル16）から出力される出力信号（電圧値）を表すグラフが，縦向きの直線の長さによって示される。上述したように，磁化検出器10からの出力信号は所定時間間隔ごとたとえば１ミリ秒ごとに順番（時系列）にサンプリングされる。またワイヤロープ１の移動速度（ロープスピード）は既知である。したがって，サンプリングされた多数の出力信号（多数の電圧値）のそれぞれを，ワイヤロープ１の位置（検査開始位置を 0.0ｍとしたときの検査開始位置からの距離）と対応づけることができ，これによって横軸をワイヤロープ１の位置（ｍ），縦軸を電圧値（ｖ）とする出力信号グラフが，解析プログラムによって作成される。
【００５７】
上段の出力信号グラフ表示欄71には，ワイヤロープ１の全検査長にわたる出力信号がグラフ表示される。図４に示す例ではワイヤロープ１の全検査長が150．8ｍであり，上段の出力信号グラフ表示欄71の横軸には，検査開始位置（0.0ｍ）から全検査長である150.8ｍまでの範囲が示されている。他方，下段の出力信号グラフ表示欄72は，上段の出力信号グラフ表示欄71の横軸の一部の範囲を拡大して示すもので，上段の出力信号グラフ表示欄71の下方に表示される矩形のスライダ78を，入力装置（マウス等）を用いて左右に動かすことによって拡大範囲を選択することができる。拡大率（拡大幅）は可変であり，解析ウインドウ70の下方の中央部分に表示される拡大率入力欄77に拡大率が入力される。拡大率の大きさに応じて矩形のスライダ78の横幅が伸縮する。
【００５８】
出力信号グラフ表示欄71，72にはまた，閾値（判定レベル）を示す線73が，色を異ならせて（たとえば赤色で）表示され，この閾値線73を超える電圧値の出力信号を表すグラフの先端がマークされる（たとえば赤色の丸印がグラフ先端に示される）。
【００５９】
解析ウインドウ70の右側に設けられている判定ボタン75がクリックされると，閾値を越える電圧値の出力信号が検出されたワイヤロープ１の位置，すなわち欠陥位置が，リスト表示欄76に一覧に表示される。リスト表示欄76には，検出された欠陥箇所ごとに，連続する番号と，検査開始位置からの距離と，一つ前の欠陥箇所からの距離とが表示される。
【００６０】
出力信号グラフ表示欄71，72にはさらに，閾値線73を越える電圧値の出力信号を表すグラフのそれぞれに対応するサムネイル画像80が表示される。このサムネイル画像80が，閾値を超える出力信号が検出されたときにデジタルカメラ21によって撮影されたワイヤロープ１の一部の画像である。デジタルカメラ21から出力される画像データからサムネイル画像80を表す画像データを作成する処理はコンピュータ装置40（解析プログラム）によって行われる。もちろん，デジタルカメラ21または制御器30においてサムネイル画像データを作成してもよい。
【００６１】
ワイヤロープ１はその検査開始位置から検査終了位置に向けて検査されるので，出力信号グラフ表示欄71，72に表示される多数の出力信号のグラフは，左から右に時系列に並べられたものである。また，上述したように，デジタルカメラ21によってワイヤロープ１が撮影されるのは，磁化検出器10（検出コイル16）からの出力信号に基づいて欠陥が検出された（閾値を超える電圧値が検出された）ときであり，さらに画像ファイルのそれぞれは上述したようにその撮影順番を特定するデータを含む。したがって，閾値を超える出力信号のグラフのそれぞれについて，左から右に並ぶ順番に，画像ファイルをその撮影順番の古いものから対応づけることで，閾値線73を越える電圧値の出力信号を表すグラフのそれぞれと，その電圧値の出力信号が検出された欠陥箇所のワイヤロープ１の画像80とを，正確に対応づけることができる。
【００６２】
サムネイル画像80がクリックされたときに，クリックされたサムネイル画像80の作成に用いられたオリジナルの画像データに基づく画像を表示画面に表示してもよい（拡大表示）。これによって，欠陥箇所の外観を，表示画面上で詳細に確認することができる。また，欠陥が損傷によるものであるか，または異物付着によるものであるかも確実に判定することができる。さらに，磁化検出器10を用いた検査結果（グラフ表示）に加えて欠陥箇所の外観画像を確認することができるので，磁化検出器10のみを用いた場合には把握しにくいたとえば断線間隔，断線本数といった，より具体的なワイヤロープ１の状況を詳細に確認することができる。これによって，現場において欠陥箇所を探すワイヤロープ１の範囲，または現場で慎重に検査すべきワイヤロープ１の範囲を大幅に狭めることができ，効率のよい現場検査を実現することができ，現場検査における欠陥の見落としも大幅に少なくすることができる。
【００６３】
解析ウインドウ70の右側の判定レベル表示欄74ｅに表示される閾値を表す数値は，別の数値に代えることができる。より大きな数値を判定レベル表示欄74ｅに入力すると，出力信号グラフ表示欄71，72の閾値線73が上方に移動する。新たに入力された閾値を超える電圧値の出力信号を表すグラフの先端がマークされ，かつサムネイル画像80が対応づけられて表示されるので，表示されるサムネイル画像80の数は少なくなる。欠陥の程度が大きいと考えられる箇所のサムネイル画像80のみを，出力信号グラフ表示欄71，72に表示させることができる。
【００６４】
判定レベル表示欄74ｅの数値（閾値）をより小さい数値に代えることもできる。閾値を小さくすることによってはじめて閾値を超えることになった出力信号を表すグラフについては，撮影が行われていないので，サムネイル画像80を対応づけて表示することができないのは言うまでもない。もっとも，制御器30において設定される閾値を小さい値に設定しておくことで，より多くの箇所のワイヤロープ１が撮影されることになるのは言うまでもない。
【００６５】
上述した実施例では１本のワイヤロープ１を検査するためのロープテスタを示したが，磁化検出器10および画像撮影ユニット20を並列に複数並べることで，複数本のワイヤロープ１を同時に検査することもできる。この場合には，解析ウインドウ70には，複数本のワイヤロープ１のそれぞれについての出力信号グラフ表示欄71，72が表示される（ワイヤロープ１ごとの解析ウインドウ70が作成される）。
【００６６】
また上述した実施例では，１つのデジタルカメラ21を用いてワイヤロープ１を一方向から撮影する構成を示したが，複数のデジタルカメラ21を用いてワイヤロープ１の同一箇所を異なる方向から撮影してもよい。ワイヤロープ１の周方向のより広い範囲，または周方向の全範囲を，画像確認することができる。
【符号の説明】
【００６７】
１  ワイヤロープ
10  磁化検出器
20  撮影ユニット
21  デジタルカメラ（撮影装置）
30  制御器
31  入力装置（入力部）
40  コンピュータ装置（ワイヤロープ解析装置）
【図１】
2019105507.tif 000003
【図２】
2019105507.tif 000004
【図３】
2019105507.tif 000005
【図４】
2019105507.tif 000006